(57)【要約】【課題】  より正面面積が小さく、より薄型化された、小型のカメラを得る。【解決手段】  屈曲光学系で構成された撮像光学系ユニットと、撮像光学系ユニットの被写体光入射開口部前面で開閉するバリア部材と、バリア部材の開閉駆動を行うアクチュエータと、フラッシュ光を照射するフラッシュ発光部を備えたフラッシュユニットと、を有し、カメラを被写体側から見て、右側端部にアクチュエータとフラッシュ発光のためのメインコンデンサ、アクチュエータの左側に被写体光入射開口部、被写体光入射開口部の左側にフラッシュ発光部を配置したカメラとする。【選択図】        図２
2007057780.tif 000002
【特許請求の範囲】
【請求項１】
屈曲光学系で構成された撮像光学系ユニットと、前記撮像光学系ユニットの被写体光入射開口部前面で開閉するバリア部材と、前記バリア部材の開閉駆動を行うアクチュエータと、フラッシュ光を照射するフラッシュ発光部を備えたフラッシュユニットと、を有するカメラにおいて、
前記カメラを被写体側から見て、右側端部に前記アクチュエータとフラッシュ発光のためのメインコンデンサ、前記アクチュエータの左側に前記被写体光入射開口部、前記被写体光入射開口部の左側に前記フラッシュ発光部を配置したことを特徴とするカメラ。
【請求項２】
前記フラッシュ発光部の下方に略直方体の電池とカードアダプタを配置したことを特徴とする請求項１に記載のカメラ。
【発明の詳細な説明】
【技術分野】
【０００１】
本発明は、屈曲光学系で構成された撮像光学系ユニットを備えたカメラの内部配置に関するものである。
【背景技術】
【０００２】
従来のフィルムカメラに換わり、固体撮像素子を用いて被写体像を光電変換し、所定の処理を施して画像をデータ化し記録媒体に記録する電子カメラが一般的になっている。
【０００３】
近年では、光学系中に反射部材を配置し、光軸を略直角に折り曲げた屈曲光学系の撮像光学系ユニットを用い、ズーミングを行っても光学系がカメラから突出せずにコンパクトな状態を維持したカメラも一般的となっている。また、レンズバリアについても同様に一般的である。
【０００４】
このような屈曲撮像光学系を備えたカメラの内部配置に関し、ファインダパララックス及び撮影画像と視認画像の回転方向のズレを解消するために、カメラを被写体側から見たとき、カメラ前面上部の屈曲撮像光学系の被写体光入射開口部の右側に、ファインダ光入射開口、フラッシュ発光部を配置し、屈曲撮像光学系の左側に電池を配置したものが開示されている（例えば、特許文献１参照）。
【特許文献１】特開２００１−１１１８６９号公報
【発明の開示】
【発明が解決しようとする課題】
【０００５】
カメラ前面を構成する部材のうち比較的大きな構成部材としては、撮像光学系、フラッシュユニットを構成するフラッシュ発光部及びメインコンデンサ、電池があり、これらを効率よく配置しなくては、カメラをより小型化することは困難である。
【０００６】
しかしながら、上記特許文献１に記載のカメラは、屈曲撮像光学系の被写体光入射開口部の右側に、横方向に長い寸法を要するフラッシュ発光部が配置され、カメラ横方向の寸法が大きくなる問題がある。
【０００７】
本発明は上記問題に鑑み、カメラを構成する比較的大きな構成部材を効率的に配置することで、より正面面積が小さく、より薄型化された、小型のカメラを得ることを目的とするものである。
【課題を解決するための手段】
【０００８】
上記の課題は、以下の構成で解決される。
【０００９】
１）  屈曲光学系で構成された撮像光学系ユニットと、前記撮像光学系ユニットの被写体光入射開口部前面で開閉するバリア部材と、前記バリア部材の開閉駆動を行うアクチュエータと、フラッシュ光を照射するフラッシュ発光部を備えたフラッシュユニットと、を有するカメラにおいて、前記カメラを被写体側から見て、右側端部に前記アクチュエータとフラッシュ発光のためのメインコンデンサ、前記アクチュエータの左側に前記被写体光入射開口部、前記被写体光入射開口部の左側に前記フラッシュ発光部を配置したことを特徴とするカメラ。
【００１０】
２）  前記フラッシュ発光部の下方に略直方体の電池とカードアダプタを配置した１）のカメラ。
【発明の効果】
【００１１】
本発明によれば、より正面面積が小さく、より薄型化された、小型のカメラを得ることが可能となる。
【発明を実施するための最良の形態】
【００１２】
以下、実施の形態により本発明を詳しく説明するが、本発明はこれに限定されるものではない。
【００１３】
図１は、本実施の形態に係るカメラ１００の外観図である。同図（ａ）はカメラの前面図であり、同図（ｂ）はカメラの後面図である。
【００１４】
同図に示すように、カメラ１００の上側面にはメインスイッチ釦１６とレリーズ釦１７が配置されている。
【００１５】
同図（ａ）に示す、２１は前面カバーである。１ｋは屈曲光学系で構成された撮像光学系ユニット（不図示）の被写体光入射開口部である。この被写体光入射開口部１ｋには、バリア部材３が配置されており、メインスイッチ釦１６の操作に応じて、不図示のアクチュエータによりバリア部材３は、被写体光入射開口部１ｋの前面を覆う位置と、被写体光入射開口部１ｋを露呈する位置とに移動させられる。被写体光入射開口部１ｋの左側には、フラッシュ発光部５４が配置されている。
【００１６】
同図（ｂ）に示す、２３は後面カバーである。５５はズーム釦でありズームアップ、ズームダウンをおこなう釦である。５６はメニュー釦、５７は選択釦で４方向スイッチであり、５８はセット釦である。３０は画像表示装置であり画像やその他文字情報等を表示する。メニュー釦５６で、画像表示装置３０上に各種のメニューを表示させ、選択釦５７で選択し、セット釦５８で確定させる機能を有している。５９は再生釦で、撮影した画像の再生をおこなう釦である。６０は消去釦で、撮影記録した画像の消去をおこなう釦である。
【００１７】
なお、不図示であるが三脚座、ＡＣアダプタの接続端子、外部機器との接続のための接続端子等がカメラ１００の底面に配置され、本カメラの電源を供給する電池の挿脱のための電池蓋、撮影した画像を記録するカード型のリムーバブルメモリを挿脱するためのカード蓋等がカメラ１００の側面に配置されている。
【００１８】
図２は、本実施の形態に係るカメラ１００の主要部品の内部レイアウトの概略を示す模式図である。なお、以下の図においては、説明の重複を避けるため、同機能部材には同符号を付与して説明する。
【００１９】
同図において、１は撮像光学系ユニットである。本例に示した撮像光学系ユニット１は、光学系中に光軸を略直角に折り曲げるための反射部材が配置された屈曲光学系が用いられている。破線で示した１ｋは、撮像光学系ユニット１の被写体光が入射する開口部である。２は撮像素子であり、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子である。３はバリア部材であり、撮像光学系ユニット１の開口部１ｋを開閉する。４はバリア部材の開閉駆動を行うアクチュエータである。
【００２０】
５はフラッシュ発光を行うキセノン管であり、６は反射傘である。このキセノン管５と反射傘６と、不図示の透光性パネルでフラッシュ発光部５４が形成されている。７はフラッシュ発光用の電荷を蓄積するメインコンデンサである。
【００２１】
８はカードアダプタ、９はメモリカード、１０は電池、１１はマイク、１２は外部機器との接続端子部であり、例えばＵＳＢ端子である。１３はスピーカ、１４はＡＣアダプタ接続端子部、１５は三脚座である。１６はメインスイッチ釦、１７はレリーズ釦であり、メインスイッチ釦１６及びレリーズ釦１７の下にはそれぞれスイッチ部材が配置されている。１８はストラップ取り付け部である。
【００２２】
また、図示していないが、これらを電気的に接続するコネクタ、電子部品等の実装されたプリント基板が設けられている。
【００２３】
同図に示すようにカメラ１００の内部は、被写体側から見て右側端部にバリア部材の開閉駆動のためのアクチュエータ４と、アクチュエータ４の下方にフラッシュ発光のためのメインコンデンサ７が配置されている。更に、アクチュエータ４と、メインコンデンサ７の左側に撮像光学系ユニット１が配置され、被写体光入射開口部１ｋの左側にフラッシュ発光部５４が配置されている。また、フラッシュ発光部５４の下方には、電池１０とカードアダプタ８が配置されている。
【００２４】
図３は、バリア部材３の開閉駆動機構を示す模式図である。同図（ａ）は図２に示した閉状態を示し、同図（ｂ）は開状態を示している。
【００２５】
同図に示すようにバリア部材３は、穴３ｃを貫通する軸に軸支され、穴３ｃを軸に回動可能となっている。また、長穴に形成された係合穴３ｋには、アクチュエータ４の駆動腕４ｗに形成されたピン４ｐが係合している。
【００２６】
同図（ａ）に示す閉状態から、駆動腕４ｗが図示時計回りに回動し、ピン４ｐによりバリア部材３を同図（ｂ）に示すような開状態となる。
【００２７】
アクチュエータ４は、例えば、ガルバノメータと類似の構成で、所定の角度だけ回転し、その位置で保持されるものである。なお、アクチュエータとしてはこれに限るものでなく、その他の公知のステッピングモータ等も適用可能である。
【００２８】
図４は、本実施の形態に係るカメラ１００の断面図である。同図は、図１（ａ）に示すＦ−Ｆ線で切断した断面の概略を示している。
【００２９】
同図において、２１は前面カバーであり、２３は後面カバーである。前面カバー２１と後面カバー２３は、金属の板材をプレス加工して形成されている。また、２２はカバー内側部材であり、同図に示すように、樹脂材料で前面カバー２１の内面に沿うように形成されている。この、カバー内側部材２２は前面カバー２１に接着又は両面粘着テープ等で固定され、後面カバー２３が組み付けられる際のガイド部材となっている。
【００３０】
バリア部材３は、撮像光学系ユニット１の第１レンズＬ１と前面カバー２１に形成された被写体光入射開口部１ｋの間に位置している。
【００３１】
即ち、カメラ１００の撮像光学系ユニット１周辺の厚み方向は、前面カバー２１、バリア部材、撮像光学系ユニット１、画像表示装置３０、後面カバー２３で構成されている。
【００３２】
図５は、本実施の形態に係るカメラ１００の別の位置の断面図である。同図は、図１（ａ）に示すＧ−Ｇ線で切断した断面の概略を示している。
【００３３】
同図に示すように、キセノン管５と反射傘６と、透光性パネル３２で構成されたフラッシュ発光部５４の下方には、電池１０とカードアダプタ８が配置されている。
【００３４】
即ち、フラッシュ発光部５４の下方の厚み方向は、前面カバー２１、電池１０、カードアダプタ８、プリント基板３３、画像表示装置３０、後面カバー２３で構成されている。
【００３５】
以上説明したように、カメラを被写体側から見て、右側端部にバリア開閉駆動用アクチュエータとフラッシュ発光のためのメインコンデンサを配置することで、円筒状のメインコンデンサに沿った円弧状にカバーを形成することができホールディングに優れたカメラとできる。更に、アクチュエータの左側に屈曲光学系で構成された撮像光学系ユニットの被写体光入射開口部、被写体光入射開口部の左側にフラッシュ発光部を配置することにより、カメラ前面を構成する部材のうち比較的大きな構成部材を効率的に配置することができ、正面面積の小さい、薄型のカメラを得ることができる。
【００３６】
上記に加えて、フラッシュ発光部の下方に略直方体の電池とカードアダプタを配置することで、カメラ厚み方向についても各部をほぼ均等な厚みに形成でき、カメラ前後面が平坦な面で形成された、薄型のカメラを得ることができる。
【図面の簡単な説明】
【００３７】
【図１】本実施の形態に係るカメラの外観図である。
【図２】本実施の形態に係るカメラの主要部品の内部レイアウトの概略を示す模式図である。
【図３】バリア部材の開閉駆動機構を示す模式図である。
【図４】本実施の形態に係るカメラの断面図である。
【図５】本実施の形態に係るカメラの別の位置の断面図である。
【符号の説明】
【００３８】
１  撮像光学系ユニット
２  撮像素子
３  バリア
４  アクチュエータ
５  キセノン管
６  反射傘
７  メインコンデンサ
８  カードアダプタ
９  メモリカード
１０  電池
１１  マイク
１２  外部接続端子
１３  スピーカ
１４  ＡＣアダプタ接続端子
１５  三脚座
１６  メインスイッチ釦
１７  レリーズ釦
１８  ストラップ取り付け部
２１  前面カバー
２２  カバー内側部材
２３  後面カバー
３０  画像表示装置
３３  プリント基板
５４  フラッシュ発光部
１００  カメラ
【図１】
2007057780.tif 000003
【図２】
2007057780.tif 000004
【図３】
2007057780.tif 000005
【図４】
2007057780.tif 000006
【図５】
2007057780.tif 000007